(57)【要約】      （修正有）【課題】ＥＭＣ試験で，試験用電波を送信するのに用いられるホーンアンテナを，簡単且つ安価に試験対象物に対して試験用電波を適正に照射できるようにする。【解決手段】ホーンアンテナの外側にカバー体を備え，これらのカバー体はホーンアンテナの中心軸からの寸法が同じとなる位置に配設されており，しかもその寸法は，ホーンの開口部の中心点からホーンの開口部の水平方向若しくは垂直方向の開口端までの寸法の内のどちらか大きいほうの寸法と同じか若しくは大きくなるように位置する長さにし，カバー体の前後方向の寸法は，該カバー体の前方側端部がホーンアンテナの開口部より前方に突出しない寸法であって，ホーンアンテナの重心を略中心として前後に所定の長さにする。【選択図】  図４
2008072538.tif 000002
【特許請求の範囲】
【請求項１】
直線偏波用のホーンアンテナにおいて，
当該ホーンアンテナはホーンアンテナの外側に，ホーンアンテナの中心軸に直交する水平線に対して直交配設する少なくとも１つの垂直カバー体と，ホーンアンテナの中心軸に直交する垂直線に対して直交配設する少なくとも１つの水平カバー体とを備え，
これらのカバー体は，カバー体の前後方向に平行な側端部が相互に重合しない大きさで，ホーンアンテナの中心軸からの寸法が同じとなる位置に配設されており，しかもその寸法は，ホーンの開口部の中心点からホーンの開口部の水平方向若しくは垂直方向の開口端までの寸法の内のどちらか大きいほうの寸法と同じか若しくは大きくなるように位置する長さにし，カバー体の前後方向の寸法は，ホーンアンテナの前後方向の寸法と同じか長くなるように構成したことを特徴としたホーンアンテナ。
【請求項２】
カバー体の前後方向の寸法は，該カバー体の前方側端部がホーンアンテナの開口部より前方に突出しない寸法であって，ホーンアンテナの重心を略中心として前後に所定の長さを有するように構成したことを特徴とした請求項１に記載のホーンアンテナ。
【請求項３】
前記カバー体は非導電材からなることを特徴とした請求項１または請求項２の何れか１項に記載のホーンアンテナ。
【請求項４】
試験対象物に向けて試験用電波を放射することにより，該試験対象物のＥＭＣ試験を行うためのアンテナを請求項１から請求項３の何れか１項に記載のホーンアンテナで構成したことを特徴としたＥＭＣ試験用アンテナ装置。
【発明の詳細な説明】
【技術分野】
【０００１】
本発明は，ホーンアンテナの構造に関し，詳しくはこのホーンアンテナを使ってＥＭＣ試験，特に，妨害波による試験対象物の耐性を測定するイミュニティ試験，を行うのに好適なＥＭＣ試験用アンテナ装置に関する。
【背景技術】
【０００２】
従来より，電子装置や電子部品の電磁環境適合性（ＥＭＣ：Ｅｌｅｃｔｒｏ  Ｍａｇｎｅｔｉｃ  Ｃｏｍｐａｔｉｂｉｌｉｔｙ）を評価するＥＭＣ試験として，試験の対象物（電子装置や電子部品）自身から放射される妨害波の大きさを測定するエミッション試験（ＥＭＩ試験）と，外部からの妨害波を受けた際の機器の耐性を測定するイミュニティ試験（ＥＭＳ試験）とが知られている。
また，このイミュニティ試験（ＥＭＳ試験）では，試験対象物に対し，妨害波として，所定周波数帯（例えば，放射電磁界試験では，数十ＭＨｚ〜数ＧＨｚ）の試験用電波を照射することになるが，このとき試験対象物に照射する試験用電波の強度や照射範囲は，国際電気標準会議（ＩＥＣ）等の国際規格で規定されている。
このため，イミュニティ試験を行う際に用いられる妨害波（換言すれば試験用電波）の送信装置は，通常，所望の指向特性が得られるホーンアンテナと，そのホーンアンテナから試験用電波を放射させるための高周波信号を発生する発振器と，発振器からの高周波信号を所定レベルまで増幅してホーンアンテナに入力する増幅器とから構成され，この増幅器からホーンアンテナに入力される高周波信号の信号レベルを調整することにより，試験対象物に対して適正レベルの試験用電波を照射できるようにしている。
（例えば，特許文献１等参照）。
【０００３】
【特許文献１】特開２００３−１２１４８５号
【発明の開示】
【発明が解決しようとする課題】
【０００４】
しかし，ＥＭＣ試験（特にＥＭＳ試験）を行うには，ホーンアンテナから放射する電波の偏波面を垂直偏波および水平偏波へと変更させて試験すること必要となるので，電波の偏波面の変更をしたとしても，アンテナの方向が変わってしまって損失が発生することが無いように，ホーンアンテナから送出される電波が垂直偏波であっても水平偏波であっても試験対象物に向かってホーンアンテナを正対させることが必要になる。 
このため，ホーンアンテナを固定したまま，ホーンアンテナから放射する電波の偏波面を電気的に垂直から水平へと段階的若しくは無段階に変化させるようなアンテナ構成にしておけば，ホーンアンテナ自体を機械的に９０°回転させることによって水平偏波・垂直偏波の切替をするより簡単且つ正確に偏波面を変更することができるのであるが，その構成を実現するためにはアンテナが複雑になり延いてはホーンアンテナのコストアップとなるといった問題があった。
【０００５】
また，従来技術の図９に示されるように，一般的な角錐ホーンアンテナは後方に矩形の同軸導波管変換部を備えた導波管と，この導波管の前方側に，前方に向かって拡開するように構成されたホーン部を備えるように構成されているので，アンテナ自体を機械的に９０°回転させる方法では，ホーンアンテナの回転のさせ方が問題となる。
それに対して，従来技術に示される試験装置では，ホーンアンテナや試験対象物は支持具によって上下方向に支持されるように構成されているので，アンテナはその開口面を下向きとして，その開口面を設置部として，試験対象物の上方に有って，電波に影響のない材料で形成された支持台に設置されたり，支持具の下部に開口面を上向きとして導波管の背面を設置部として支持台に設置されたりするように，アンテナと試験対象物を縦方向に配設する構成になっている。この場合，アンテナの開口面や導波管の背面は，アンテナの中心軸に対して直交する平面をなしているので，簡単な方法としては支持台にアンテナを載置すれはアンテナを試験対象物に向けて設置できる。しかし，この試験装置が取り扱う周波数帯によっては，ホーンアンテナが大きくなるし，ホーンアンテナと試験対象物との距離との関係もあって，その支持台が特に縦方向に大きくなり試験装置としての規模が大きくなり延いては装置全体のコストが高くなるばかりでなく，アンテナの偏波面の変更や試験対象物の交換等に支持台の上り下りが必要になるなどの試験装置としての取扱性に問題が生じることになる。
【０００６】
ホーンアンテナや試験対象物などを水平方向に配列する試験装置では，ホーンアンテナや試験対象物は，電気的に影響のでない木製などの机に載置されて配設されるので試験装置として構成しやすい。しかし，ホーンアンテナは上述したように後方に矩形の同軸導波管変換部を備えた導波管と，この導波管の前方側には，前方に向かって拡開するように構成されたホーン部を備えるように構成されているので，ホーンアンテナ側面側は，その開口面や導波管の背面のように平面をなしていないので，ホーンアンテナを試験対象物に正対させためには，ホーンアンテナの後方に位置する導波管やホーン側の下面と，ホーンアンテナを設置している設置台との間に，アンテナの中心軸が所定の方向を向くように高さを調整する高さ調整手段を備えることによってホーンアンテナの中心軸が試験対象物に正対する必要が生じる。しかしながら，一般的な角錐ホーンアンテナはその開口面は正方形ではなくて矩形であるし，導波管も矩形であるので，アンテナの縦方向の寸法と横方向の寸法が異なることから，偏波面を水平から垂直に変更するためにアンテナを９０°回転させると，回転前と回転後のアンテナの中心軸がずれてしまい，その都度高さ調整手段を変更したり調整したりする必要があり，その調整が面倒で手間がかかるといった問題があった。
本発明は，こうした問題に鑑みなされたもので，
その目的は，角錐型のホーンアンテナの設置方向を機械的な回転操作で変更してもアンテナの中心軸の高さ方向の寸法を一定にする簡単且つ安価な手段を有したホーンアンテナを提供することにある，
他の目的は，ホーンアンテナの放射特性に影響のないアンテナの中心軸の高さ方向の寸法を一定にする手段を有したホーンアンテナを提供することにある。
他の目的は，ＥＭＣ試験，特に，妨害波による試験対象物の耐性を測定するイミュニティ試験（ＥＭＳ試験）を行うに当たって，妨害波としての試験用電波を送信するのに用いられるホーンアンテナからの試験用電波を，簡単な操作で直線偏波であっても水平偏波であっても試験対象物に対して試験用電波を適正に照射できるようにすることを目的とする。
また，安価なアンテナを提供してＥＭＣ試験装置のコストダウンを図ることを目標とする。
【課題を解決するための手段】
【０００７】
かかる目的を達成するためになされた請求項１に記載の発明は，直線偏波用のホーンアンテナにおいて，当該ホーンアンテナはホーンアンテナの外側に，ホーンアンテナの中心軸に直交する水平線に対して直交配設する少なくとも１つの垂直カバー体と，ホーンアンテナの中心軸に直交する垂直線に対して直交配設する少なくとも１つの水平カバー体とを備え，これらのカバー体は，カバー体の前後方向に平行な側端部が相互に重合しない大きさで，ホーンアンテナの中心軸からの寸法が同じとなる位置に配設されており，しかもその寸法は，ホーンの開口部の中心点からホーンの開口部の水平方向若しくは垂直方向の開口端までの寸法の内のどちらか大きいほうの寸法と同じか若しくは大きくなるように位置する長さにし，カバー体の前後方向の寸法は，該カバー体の前方側端部がホーンアンテナの開口部より前方に突出しない寸法であって，ホーンアンテナの前後方向の寸法と同じか長くなるように構成した。
また，請求項２の発明は，請求項１のホーンアンテナにおいて，前記カバー体は，ホーンアンテナの重心を略中心として前後に所定の長さを有するように構成した。
また，請求項３の発明は，請求項１または請求項２の何れか１項に記載の発明において，  前記カバー体は非導電材からなるように構成した。
そして，請求項４の発明は，請求項１から請求項３の何れか１項に記載されるように構成されたホーンアンテナをＥＭＣ試験用に用いてＥＭＣ試験用アンテナ装置を構成した。
【発明の効果】
【０００８】
請求項１の発明によれば，角錐型ホーンアンテナであっても，アンテナから放射される電波の偏波方向を変えるために，アンテナの設置方向を水平方向から垂直方向（または逆に）に変更しても，簡単且つ安価な方法でアンテナの設置面とアンテナの中心軸との間の寸法をブレることなく一致させて変更できるようになるので，このアンテナを用いれば，例えば，ＥＭＣ試験用のアンテナ装置に好適なアンテナが安価に提供できるのである。
また，アンテナの設置台は電波の放射特性に影響のない，一般的に市販されたり，すでに所有していたりする木製等から形成されたテーブルなどでよもく，この設置台に本発明のホーンアンテナを置いて簡単な回転操作をするだけでアンテナの設置方向を水平方向から垂直方向（または逆に）に変更できるので，設置台に特別の機構や構造を施したり，アンテナの方向を意図する方向に保つための支持脚等を必要としないので，その点からも安価にできる。
また，ケース体が４方を囲んでいるように構成すれば，偏波面を変えるためのアンテナの回転操作が，左回りであっても右回りであってもどちらでも中心軸の位置がブレることなく変更できることから，より操作性の良いホーンアンテナを提供できる。更にこの実施例の場合，ケース体がホーンアンテナ全体を覆うように構成されているので，このケース体がアンテナの位置決め手段であることに加え，アンテナの回転操作に対する保護材としてホーンアンテナの設置場所を移動したり収納したりする場合でも，アンテナが傷つくのを防止するばかりでなく，ホーンの開口部が変形したり，同軸コネクタが傷ついたりしないようにできるの高い保護材としての役割を併せ持つ，極めて有用性の極めて高いホーンアンテナを提供できる。
【０００９】
また，請求項２の発明によれば，アンテナをテーブルの上に安定的に支えることができると共に，アンテナをテーブル等に設置するだけでアンテナの中心軸を同じ高さにすることができるのに加え，ホーンアンテナを安定して支持できる程度にケース体の前後方向の寸法を短くしたことで，ホーンアンテナの全体重量を軽量化でき，延いてはアンテナのコストダウンができ，例えば，アンテナの移動や収納の必要がない据付型のサイトに使用するのに好適なアンテナを提供できる。
【００１０】
また，請求項３の発明のように，上記アンテナの外側に形成したカバー体が非導電材によって形成したことによって，当該カバー体がアンテナの電波の放射特性に影響を与えることがないし，上記アンテナが請求項４に示すようなアンテナ構成であればＥＭＣ試験のように電波暗室内で使用しても，カバー体が試験電波に対する不要な反射体として動作することがなくＥＭＣ試験に悪影響を及ぼすことがない。また，カバー体を非導電材である合成樹脂材や発泡材を用いて形成することによって，該カバー体がアンテナの位置決め手段としてばかりでなく，ホーンアンテナの重量をあまり重くすることなく，ホーンアンテナの位置決め操作や移動，収納時における開口部やコネクタ等の保護部材としての効果も有するのである。
【発明を実施するための最良の形態】
【００１１】
以下に本発明の実施形態を図面と共に説明する。
図１は，本発明が適用された第１実施形態のホーンアンテナを用いたＥＭＣ試験装置全体の構成を表す構成図である。
図１に示すように，本実施形態のＥＭＣ試験装置も実施例は，妨害波による試験対象物２の耐性を測定するイミュニティ試験を行うために，試験対象物２に向けて試験用の妨害波（試験用電波）を送信するものであり，試験用電波となる高周波信号を発生する発振器１０と，この発振器１０から出力される高周波信号を所定レベルまで増幅する増幅器２０と，この増幅器２０にて増幅された高周波信号を受けて，試験用電波を試験対象物２に向けて放射する角錐型のホーンアンテナ３０とを備える。
また，本実施形態では，増幅器２０は，出力レベルを低下させないように増幅器２０からホーンアンテナ３０に至る高周波信号の伝送路（同軸ケーブルからなる。以下同様。）を出来る限り短くするのがよく，ホーンアンテナ３０と共にＥＭＣ試験用の電波暗室１００内に配置されることから，発振器１０から増幅器２０に至る高周波信号の伝送路上には，電源装置１２からの電源電圧（直流電圧）を高周波信号に重畳して，電波暗室内の増幅器２０まで伝送させるための混合器１４が設けられている。
【００１２】
ここでホーンアンテナ３０の構成を説明する。図２（ａ）の斜視図に示されるホーンアンテナ３０は角錐型の一般的なものであり，後端側に同軸導波管変換部を備えた導波管３２と導波管３２の前方側に供えたホーン部３４とからなる。図２（ｂ），（ｃ）は図２（ａ）に示される矢印Ｘが指し示す方向からホーンアンテナ３０の開口部３４ａを見た図であり，例えば，アンテナの開口部の一端を同一平面７（例えば机。）上に設置した条件において，（ｂ）のように水平偏波の電波を出力するときの設置状態と，（ｃ）のように垂直偏波の電波を出力するときの設置状態を比較したものである。この場合，角錐型のホーンアンテナは開口部および導波管が矩形であるので，電波の偏波を変えるためにアンテナを回転させると当然，アンテナの中心軸（図２ではＣで示されている。）がズレてしまう
【００１３】
そこで，本発明に係る直線偏波用のホーンアンテナ３０は，図３から図５に示すようにホーンアンテナ３０の外側に，ホーンアンテナ３０の中心軸に直交する水平線に対して直交配設する少なくとも１つの垂直カバー体３８ａと，ホーンアンテナの中心軸に直交する垂直線に対して直交配設する少なくとも１つの水平カバー体３８ｂとからなる位置決め体３８を備えさせている。
これらのカバー体３８ａ，３８ｂは，カバー体の前後方向に平行な側端部が相互に重合しない大きさで，ホーンアンテナ３０の中心軸からの寸法が同じとなる位置に配設されており，しかもその寸法は，ホーン３４の開口部３４ａの中心点からホーン３４の開口部３４ａの水平方向若しくは垂直方向の開口端までの寸法の内のどちらか大きいほうの寸法と同じか若しくは大きくなるように位置する長さにし，カバー体３８ａ，３８ｂの前後方向の寸法は，以下に示す実施例のようにホーンアンテナ３０を設置面に対して安定して設置できるように前後に所定の長さを有するように構成されている。
【００１４】
ここで位置決め体３８を備えたホーンアンテナ３０の具体例について図を基に説明する。
［第１実施形態］
図３によく示されるように，第１実施例における位置決め体３８は，それぞれ１つのカバー体３８ａ，３８ｂの側端部の一辺側を当接させ，カバー体３８ａ，３８ｂが直角となるように配設されている。そして，アンテナ３０の中心軸Ｃからカバー体３８ａ，３８ｂまでの寸法が同じ位置に配設されるように，アンテナ３０の外面とカバー体３８ａ，３８ｂの内面との間に，ホーンアンテナ３０を位置決め体３０との適切な位置を保持すると共に，ホーンアンテナ３０を位置決め体３０とを固着するための保持体３９を介挿させている。
【００１５】
図３（ａ）は位置決め体３８を備えたホーンアンテナ３０の上面図であり，図３（ｂ）は図３（ａ）に示される矢印Ｚ１からみたホーンアンテナ３０の開口部３４側の正面図である。この図から判るようにホーンアンテナ３０が垂直方向に置かれた場合，アンテナの下側は位置決め体３８のケース体３８ａとなり，ケース体３８ａの外面と中心軸の寸法はＨとなる。次に，図３（ｃ）は図３（ａ）に示される矢印Ｙ１からみたホーンアンテナ３０の側面図であり，この図から判るようにホーンアンテナ３０が水平方向に置かれた場合，アンテナの下側は位置決め体３８のケース体３８ｂとなり，ケース体３８ｂの外面と中心軸の寸法はＨとなる。ここで，上述のようにケース体３８ａおよびケース体３８ｂはホーンアンテナの中心軸Ｃからの距離Ｈであり，それぞれ直交するように形成されているので，アンテナの設置方向を９０°回転させても，アンテナを設置した設置面とアンテナの中心軸との間隔は常に同じ寸法となるのである。更に，設置面とホーンアンテナ３０との間にアンテナの水平方向の位置決めを行うための位置決め手段（後に説明する図６の２０に示されている。）を備えさせれば，アンテナの設置方向を９０°回転させてもアンテナの中心軸はブレることなく同一軸線上にくるのである。また，位置決め体３８の前後方向の長さは，ホーンアンテナ３０を設置面に対して安定的に設置できると共にアンテナの特性に影響のない長さが必要であり，その前端部はアンテナの電波の放射特性に影響を与えないようにホーンアンテナ３０の開口部３４ａより突出しない寸法になっている。
また，位置決め体３８の後端部はホーンアンテナ３０の後端側と同じ位置かそれよりも後方に伸ばすことによってコネクタ３１やコネクタ３１に接続される伝送線の保護ができる。 
【００１６】
以上，本発明の第１実施例によれば，角錐型ホーンアンテナ３０であっても，アンテナから放射される電波の偏波方向を変えるために，アンテナの設置方向を水平方向から垂直方向（または逆に）に変更しても，簡単且つ安価な方法でアンテナの中心軸をブレることなく一致させて変更できるようになるので，このアンテナを用いれば，例えばてＥＭＣ試験用のアンテナ装置に好適なアンテナが安価に提供できるのである。また，アンテナの設置台は電波の放射特性に影響のない，一般的に市販されたり，すでに所有していたりする木製等から形成されたテーブルなどに置いて，簡単な回転操作によってアンテナの設置方向を水平方向から垂直方向（または逆に）に変更できるので，特別な構造や仕様の設置台を必要とせず，その点からも安価にできる。
尚，本発明の実施例では，位置決め体３８の前後方向の長さは，その前端部がホーンアンテナの電波の放射特性に影響を与えないようにホーンアンテナ３０の開口部３４ａより突出しない寸法としているが，若し位置決め体３８の材料が，アンテナより放射される電波の周波数帯において，電波の放射特性に影響を及ぼさない，或いは，影響が許容できる範囲であるならば，位置決め体３８の前端部がホーン３４の開口部３４ａより前方に突出しても良い。この場合，その突出部の開口部を閉塞するための蓋体（前記位置決め体３８と同じ特性を有する材料で形成したものででもよいし，位置決め体３８と一体的に形成してもよい。）を備えるようにすればホーンアンテナ３０内部の保護ができる。
【００１７】
尚，本発明の実施例ではケース体３８ａおよびケース体３８ｂを別体で形成し，これらを組み合わせることで位置決め体３８を構成したが，ケース体３８ａおよびケース体３８ｂを一体形成しても良い。また，ケース体３８ａ，ケース体３８ｂおよび保持体３９はアンテナを回転させるための回転操作において耐久性のある材料で形成するのがよいのであるが，ホーンアンテナ３０に取り付けても電波の放射特性に影響がなく，ＥＭＣ試験用の電波暗室に入れても，試験電波等の反射体とならないよう合成樹脂材や発泡材等で構成するのが良い。特に発泡材で形成されたものは，位置決め体３８の軽量化が可能であると共に，ホーンアンテナの保護材としての役割を有することになる。
【００１８】
［第２実施形態］
この実施例は図４に示される。この図４において（ａ）は上面から見た一部断面図であり，図４（ｂ）は図４（ａ）における矢印Ｙ２から見た正面図である。また図４（ｃ）は図４（ａ）における矢印Ｘ２から見た側面から見た一部断面図であり，図４（ｄ）はその正面図である。図４に良く示されるように，第１の実施例に対してホーンアンテナ３０の４方を囲むように更にもう一つずつのケース体３８ａ，３８ｂを付け加えたものであり，相互に対向するケース体３８ａ，３８ａとケース体３９ａ，３９ａからなる位置決め体３８を備えている。すなわち，この第２の実施例によれば，ケース体が４方を囲んでいることによって，偏波面を変えるためのアンテナの回転操作が，左回りであっても右回りであってもどちらでも中心軸がブレることなく変更できることから，より操作性の良いホーンアンテナ３０を提供できる。
更に，位置決め手段３８がホーンアンテナ３０全体を覆うように構成されているので，位置決め体３８は第１実施例のアンテナの位置決め手段であることに加え，ホーンアンテナ３０の保護手段として効果も有することとなるので，アンテナの回転操作に対する保護材としてホーンアンテナ３０の設置場所を移動したり収納したりする場合でも，アンテナが傷つくのを防止するばかりでなく，ホーン３４の開口部３４ａが変形したり，同軸コネクタ３１が傷ついたりしないようにできる極めて有効性の高い保護材としての役割を有するようにすることができる。
尚，第１実施例と同様にホーン３４の開口部３４ａを閉塞する蓋体を備えるように構成しても良い。
【００１９】
［第３実施形態］
この実施例は図５に示される。この図５において（ａ）は上面から見た一部断面図であり，図５（ｂ）は図５（ａ）における矢印Ｘ３から見た側面から見た一部断面図である。図５（ｃ）は導波管３６がホーン部３４に対して前方側に移動自在となるように構成した場合の側面図である。図５に良く示されるように，すでに説明した第１および第２実施例に対して位置決め体３８の前後方向の長さを短くしたものである。この長さの決め方としては，各ケース体３８ａおよび３８ｂの前方側端部がホーンアンテナ３０の開口部３４ａより前方に突出しない寸法であって，ホーンアンテナ３０の重心を略中心として前後に所定の長さを有するように構成した位置決め体３８を備えている。すなわち，この第３実施例によれば，上記実施例と同様にアンテナをテーブルの上に安定的に支えることができると共に，アンテナをテーブル等に設置するだけでアンテナの中心軸を同じ高さにすることができるのに加え，ホーンアンテナ３０を安定して支持できる程度に位置決め体３８の前後方向の寸法を短くしたことで，ホーンアンテナ３０の全体重量を軽量化でき，延いてはアンテナのコストダウンができ，例えば，アンテナの移動や収納の必要がない据付型のサイトに使用するのに好適なアンテナを提供できる。
【００２０】
本発明の第３実施例に示される３６はホーン部の前に設置された導波管であり，導波管３２，ホーン部３４，導波管３６とでホーンアンテナ３０を構成している。このようにホーン部の前に導波管等が接続されている場合は，この導波管３２とを合わせたホーンアンテナの重心点を略中心とした位置に位置決め手段３８を備えればよい。
この導波管３６は，ホーンアンテナ３０から放射される電波のレベルや指向性等の放射特性を調整するためのものであり，ホーンアンテナ３０と一体的に形成されていてもよいが，図５（ｃ）に示すように導波管３６の中心軸とホーンアンテナ３０の中心軸を一致させてホーン部３４の前方方向に自在に調整できるように別体で構成されていてもよい。この実施例のように構成されたホーンアンテナはＥＭＣ試験に好適であり，特に図５（ｃ）に示すようにホーンアンテナ３０と導波管３６を分割可能に構成されたアンテナを使用することによって，試験対象物２の大きさ等に応じ，試験電波の放射特性を制御して安定した無駄のない電波を試験対象物２に対して照射できるように調整できるので，１つのアンテナを用いて多様な試験対象物２に対して安定した試験ができるのである。
このとき導波管３６の表面に所定の間隔で刻まれた目盛り２９等を表示しておけば，試験測定物２に対して電波の放射特性を最適化したときの導波管３６の突出寸法（若しくは，ホーン部３４の開口部３４ａと導波管３６の間隔）が，ホーンアンテナ３０からどれほどであるかが簡単に分かるし，この試験対象物に応じた突出寸法や位置を記録しておけば，試験条件を変更した後でも簡単にもとの試験条件に戻すことができる利便性のよいホーンアンテナを提供することができるのである。しかも，導波管３６は本発明に係る位置決め体３８によってホーンアンテナ３０の前方側に導波管３６の中心軸とホーンアンテナ３０の中心軸を一致させて移動自在に保持される構成となっているので，特別に導波管３６をスライドさせる機構をホーンアンテナ３０に備えなくてもよく，簡単且つ安価な構造でスライド構造が実現できる。加えて，導波管３６に表示された目盛り２９に加え，導波管３６の引き出し寸法に対応した電波の放射レベルを表示しておけば，試験条件が明確に確認できるようになる。
また，ホーンアンテナ３０と，位置決め体３８と，導波管３６をそれぞれ取り外し自在としておけば，それぞれがコンパクトになり収納がしやすくなるし，再び組み立てる場合でも，前記目盛り２９等によって再現性の優れたものとすることができる。尚，導波管３６がホーンアンテナ３０に重合するように後方側に移動するように構成しても良い。
【００２１】
次に，図６は，上記アンテナをＥＭＣ試験用アンテナ装置として備えたＥＭＣ試験装置全体の構成を表す構成図である。
図６に示すように，本実施形態のＥＭＣ試験装置は，上記ホーンアンテナ３０を用いて試験対象物２のイミュニティ試験を行うためのものであり，試験対象物２を載置するテーブル４と，ホーンアンテナ３０から試験用電波を放射させるための高周波信号を発生する周波数可変型の発振器１０と，発振器１０に接続されて，各種試験条件下での発信器１０を行う測定装置５０等を備えている。
この測定装置５０は，パーソナルコンピュータ等のコンピュータから構成されており，ハードディスク等に記憶されたイミュニティ試験用の制御プログラムに従い，所定の手順でイミュニティ試験を実行する。そして，ホーンアンテナ３０は例えば木製等のアンテナの放射特性に影響のない材料で形成された設置台７に設置されている。また，設置台７にはホーンアンテナ３０の中心軸を所定方向に向けるための位置決め手段８が備えられているので，ホーンアンテナ３０は垂直偏波を放射するように設置しても水平偏波を放射するように設置しても簡単且つ正確にホーンアンテナの中心軸がブレることなくアンテナの回転操作ができる。
尚，設置台７に備えられている前記位置決め手段８は一例であり，特にこの実施例に限定されるものではない。またアンテナ３０と設置台７に特別な細工や加工を施して相互に嵌合させて位置決めする位置決め手段８を設けてもよいが，本発明の課題の一つである一般的な設置台を使って簡単且つ安価に構成することに鑑みて，できる限り簡単な構成にするのが望ましい。
【００２２】
このように，本実施形態のＥＭＣ試験装置によれば，ホーンアンテナ３０から放射される試験用電波の偏波（垂直または水平）や，試験対象物２のホーンアンテナ３０に対する向き，或いは，発振器１０の発振周波数で決まる試験用電波の周波数，といった各種試験条件を，予め設定された試験条件に従い変化させつつ，イミュニティ試験を行うことができる。そして，試験後は，使用者がパーソナルコンピュータを操作して，ハードディスク等の記憶手段に格納された異常時の試験条件等を読み取ることで，試験対象物２の妨害波に対する耐性を判定することができる。
【００２３】
尚，本発明は上記実施の形態に限定されるものではなく，以下に例示するように，本発明の趣旨を逸脱しない範囲で各部の構成を適宜に変更して実施することも可能である。
例えば図１に示される増幅器２０は，不要電波等が放射されないように金属製の筐体内に収納されているので，電波暗室１００内での電波反射体として不要な影響を与えないように電波暗室１００内に電波吸収対等で被う必要が生じる。それに対して，図には示されていないが，増幅器２０をホーンアンテナ３０を構成するホーン３４の後端側に延設された方形の導波管３２の一つの側壁に固定し，ホーンアンテナ３０を開口面側から見たとき，その開口面で増幅器２０の全体が隠れるようにホーンアンテナ３０に固定されていれば，ホーンアンテナ３０が放射した試験用電波の反射波が増幅器２０に直接入射するようなことはない。即ち，増幅器２０は，導波管３２と位置決め体３８との間に形成される空間内に収納されることによって，増幅器２０は，その反射波等の影響を受けることなく動作できることになり，増幅器２０を反射波から保護するための特殊なシールド構造の筐体を使用することなく，増幅器２０をホーンアンテナ３０と一体化することができる。また，増幅器２０は，金属筐体に収納されてホーンアンテナ３０の側壁に固定されていれば，増幅器２０が発生した熱は，金属筐体を介して，表面積が大きいホーンアンテナ３０に伝わり，ホーンアンテナ３０を介して放熱されることになる。このため，増幅器２０の放熱のために増幅器２０に放熱用のフィンを設ける必要がなく，これによっても増幅器２０（延いてはＥＭＣ試験装置）の低コスト化を図ることができる。
【図面の簡単な説明】
【００２４】
【図１】ＥＭＣ試験装置全体の構成を表す概略構成図である。
【図２】ホーンアンテナの一般的な形状を示す説明図であり，（ａ）は斜視図，（ｂ）は水平状態にあるときの背面図，（ｃ）は垂直状態のあるときの背面図。
【図３】第１実施形態のアンテナ装置の説明図であり，（ａ）は上面図，（ｂ）は（ａ）の矢印Ｙ１方向から見た正面図，（ｃ）は（ａ）に示される矢印Ｘ１方向から見た側面図，（ｄ）は（ｃ）の状態の正面図である。
【図４】第２実施形態のアンテナ装置の説明図であり，（ａ）は上面図，（ｂ）は（ａ）の矢印Ｙ２方向から見た正面図，（ｃ）は（ａ）に示される矢印Ｘ２方向から見た側面図，（ｄ）は（ｃ）の状態の正面図である。
【図５】第３実施形態のアンテナ装置の説明図であり，（ａ）は上面図，（ｂ）は（ａ）に示される矢印Ｘ３方向から見た側面図である。
【図６】ＥＭＣ試験装置全体の構成を表す説明図である。
【符号の説明】
【００２５】
２…試験対象物，４…ターンテーブル，６…支柱，７…ホーンアンテナ用テーブル，８…テーブル駆動用モータ，９…ロータリエンコーダ，１０…発振器，１２…電源装置，１４…混合器，２０…増幅器，３０…ホーンアンテナ，３１…コネクタ，３２，３６…導波管，３３…プローブ，３４…ホーン部，３４ａ…開口部，３８…位置決め体，３８ａ…垂直カバー体，３８ｂ…水平カバー体，３９…保持体，５０…測定装置，５２…モータ駆動回路，５６…エラー検出回路。
【図１】
2008072538.tif 000003
【図２】
2008072538.tif 000004
【図３】
2008072538.tif 000005
【図４】
2008072538.tif 000006
【図５】
2008072538.tif 000007
【図６】
2008072538.tif 000008